【手続補正書】
【提出日】平成19年5月8日(2007.5.8)
【手続補正１】
【補正対象書類名】明細書
【補正対象項目名】特許請求の範囲
【補正方法】変更
【補正の内容】
【特許請求の範囲】
【請求項１】  外郭部に電極取り出し部及び該電極取り出し部から引き出されるリード線を有する太陽電池モジュールにおいて、前記太陽電池モジュールの外郭部に外郭部側係合部を有し、前記外郭部側係合部と、これと差し込み式に係合する非外郭部側係合部の一方を他方に差し込んで、電極取り出し部及びリード線の一部をおおう端子取出し部保護部材、リード線、前記リード線の前記電極取り出し部とは反対側の端部に設けられたコネクタの少なくとも一つを太陽電池モジュールの外郭部に機械的に固定したことを特徴とする太陽電池モジュール。
【請求項２】  前記外郭部側係合部が係止片により構成され、また非外郭部側係合部が係止孔から構成されており、係止片には離脱防止用の折返し部が形成されていることを特徴とする請求項１記載の太陽電池モジュール。
【請求項３】  前記外郭部側係合部が折り曲げ可能な起立片により構成され、また非外郭部側係合部が外向フランジから構成されており、前記起立片を前記外向フランジ上に折り曲げることにより係合することを特徴とする請求項１記載の太陽電池モジュール。
【請求項４】  前記外郭部側係合部が折り曲げ可能な起立片により構成され、また非外郭部側係合部が貫通孔により構成されており、前記貫通孔を貫通した起立片を折り曲げることにより係合することを特徴とする請求項１記載の太陽電池モジュール。
【請求項５】  前記外郭部側係合部が太陽電池モジュールを貫通する取り付け孔により構成され、また非外郭部側係合部が前記取り付け孔を貫き且つ貫通後に頭部を潰すことが可能な突起から構成されていることを特徴とする請求項１記載の太陽電池モジュール。
【請求項６】  前記リード線は、前記端子取出し部保護部材と機械的に接続されていることを特徴とする請求項１〜５のいずれかに記載の太陽電池モジュール。
【請求項７】  前記端子取出し部保護部材は前記リード線の一部を埋設しており、かつ前記リード線の前記端子取出し部保護部材側の端部に電気接点を有し、前記端子取出し部保護部材が前記外郭部に固定された際、前記電極取出し部と前記電気接点が電気接続をすることを特徴とする請求項１〜５のいずれかに記載の太陽電池モジュール。
【請求項８】  前記外郭部と、前記端子取出し部保護部材、リード線、コネクタ又はこれらを固定する固定部材とが夫々導電性を有し、かつ互いに電気的に導通しており、前記端子取出し部保護部材、リード線、コネクタ又はこれらを固定する固定部材を経由して太陽電池モジュールの接地接続をすることを特徴とする請求項１〜７のいずれかに記載の太陽電池モジュール。
【請求項９】  アース線が、前記端子取出し部保護部材、リード線、コネクタ又はこれらを固定する固定部材に電気接続されていることを特徴とする請求項８記載の太陽電池モジュール。
【請求項１０】  前記端子取出し部保護部材、リード線、コネクタ又はこれらを固定する固定部材は、前記外郭部と接する面に接地片を有し、かつ、これらが前記外郭部に固定された際に、前記外郭部と前記接地片が電気接続し、前記接地片を経由して太陽電池モジュールの接地接続がなされることを特徴とする請求項８又は９記載の太陽電池モジュール。
【請求項１１】  前記外郭部と前記外郭部側係合部が夫々導電性を有し、かつ互いに電気的に導通しており、前記外郭部側係合部を経由して太陽電池モジュールの接地接続をすることを特徴とする請求項１〜７のいずれかに記載の太陽電池モジュール。
【請求項１２】  前記リード線は複数の心線を有し、かつ前記心線のうち少なくとも一本が、前記外郭部側係合部と電気的に接続されていることを特徴とする請求項１１記載の太陽電池モジュール。
【請求項１３】  前記リード線の心線と前記外郭部側係合部との電気的接続を接地バネを介して行うことを特徴とする請求項１２記載の太陽電池モジュール。
【請求項１４】  太陽電池素子の出力を外部に取り出すための電極と、該電極を保護するための保護部材を有する太陽電池モジュールにおいて、該保護部材が、接着部材又は粘着部材を用いずに、接合されていることを特徴とする太陽電池モジュール。
【請求項１５】  前記太陽電池モジュールが係合部を有しており、前記保護部材が該係合部と係合する被係合部を有しており、該係合部と該被係合部の係合により該太陽電池モジュールと該保護部材が接合されていることを特徴とする請求項１４記載の太陽電池モジュール。
【請求項１６】  前記係合が螺合であることを特徴とする請求項１５記載の太陽電池モジュール。
【請求項１７】  前記係合が嵌合であることを特徴とする請求項１５記載の太陽電池モジュール。
【請求項１８】  前記太陽電池モジュール、前記保護部材の少なくとも一方に、該係合を解除する係合解除部を有していることを特徴とする請求項１５〜１７のいずれかに記載の太陽電池モジュール。
【請求項１９】  前記係合部は、太陽電池モジュール表面より凸となっていないことを特徴とする請求項１５〜１７のいずれかに記載の太陽電池モジュール。
【請求項２０】  前記係合部は、折り畳み可能で、折り畳み時に、太陽電池モジュール表面より凸となっていないことを特徴とする請求項１５〜１７のいずれかに記載の太陽電池モジュール。
【請求項２１】  前記係合部は、太陽電池モジュールに収納可能で、収納時に、太陽電池モジュール表面より凸となっていないことを特徴とする請求項１５〜１７のいずれかに記載の太陽電池モジュール。
【請求項２２】  前記係合部は、太陽電池モジュールに対し着脱可能な状態で取り付けられていることを特徴とする請求項１５〜２１のいずれかに記載の太陽電池モジュール。
【請求項２３】  前記係合部は、太陽電池モジュールを構成している少なくとも一材料と同材料、あるいは相溶性のある材料よりなることを特徴とする請求項１５〜２２のいずれかに記載の太陽電池モジュール。
【請求項２４】  前記被係合部は、保護部材を構成している少なくとも一材料と同材料、あるいは相溶性のある材料よりなることを特徴とする請求項１５〜２３のいずれかに記戟の太陽電池モジュール。
【請求項２５】  前記太陽電池モジュールはその一部に金属製外郭部を有し、該金属製外郭部と電気接続した状態で設けられた導電性を有する係合部を利用して接地を行うことを特徴とする請求項１５〜２４のいずれかに記載の太陽電池モジュール。
【請求項２６】  太陽電池モジュールと保護部材は、接合部材によって接合されていることを特徴とする請求項１４記載の太陽電池モジュール。
【請求項２７】  前記接合部材は、ねじ、ボルト及びナット、ジョイント、ファスナ、ベルト、又はバンドであることを特徴とする請求項２６記載の太陽電池モジュール。
【請求項２８】  前記太陽電池モジュールと前記保護部材の接合解除が可能であることを特徴とする請求項２６または２７記載の太陽電池モジュール。
【請求項２９】  前記接合部材は、太陽電池モジュールもしくは保護部材と同材料あるいは相溶性のある材料であり、該太陽電池モジュールと該保護部材とを接合解除した際、該接合部材の少なくとも一部は、同材料あるいは相溶性のある材料側のみに残留することを特徴とする請求項２８記載の太陽電池モジュール。
【請求項３０】  前記保護部材は、電気接点を有しており、前記太陽電池モジュールと該保護部材が接合することで、該電気接点と前記電極が電気接続することを特徴とする請求項１４〜２９のいずれかに記載の太陽電池モジュール。
【請求項３１】  前記電気接続は、水密状態で行われることを特徴とする請求項３０記載の太陽電池モジュール。
【請求項３２】  前記電極は、太陽電池モジュールの凹部に設けられており、指触できない状態にあることを特徴とする請求項１４〜３１のいずれかに記載の太陽電池モジュール。
【請求項３３】  前記電極上には、絶縁カバーが設けられており、指触できない状態にあることを特徴とする請求項１４〜３１のいずれかに記載の太陽電池モジュール。
【請求項３４】  請求項１〜３３のいずれかに記載の太陽電池モジュールが、その出力を制御するインバータあるいは接続箱に接続されていることを特徴とする太陽光発電装置。
【手続補正２】
【補正対象書類名】明細書
【補正対象項目名】００１２
【補正方法】変更
【補正の内容】
【００１２】
即ち、外郭部に電極取り出し部及び該電極取り出し部から引き出されるリード線を有する太陽電池モジュールにおいて、前記太陽電池モジュールの外郭部に外郭部側係合部を有し、前記外郭部側係合部と、これと差し込み式に係合する非外郭部側係合部の一方を他方に差し込んで、電極取り出し部及びリード線の一部をおおう端子取出し部保護部材、リード線、前記リード線の前記電極取り出し部とは反対側の端部に設けられたコネクタの少なくとも一つを太陽電池モジュールの外郭部に機械的に固定したことを特徴とする。
【手続補正３】
【補正対象書類名】明細書
【補正対象項目名】００１３
【補正方法】削除
【補正の内容】